(57)【要約】【課題】可動体を従来と異なる新たな軌跡を描きながら移動させることが可能な可動演出装置を備えた遊技機を提供すること。【解決手段】ベース部材６１に設けられ、谷状部６２ａと山状部６２ｂを有した湾曲形状の第１の誘導部６２と直線状の第２の誘導部６３に沿って、第１の誘導部６２に係合する第１の摺動部６５と第２の誘導部６２に係合する第２の摺動部６６が設けられた可動体６４を、第１の位置Ｐ１から第２の位置Ｐ２へと移動させることで、可動体６４に設けられた装飾部材８０は、ベース部材６１上の第１の位置Ｐ１と第２の位置Ｐ１の間を移動する際に、その先端側の方向（姿勢）を変えつつ表示部１７ａの前面側での出没量（移動量）に強弱が付けられるようにされている。【選択図】図１０
2011239870.tif 000002
【特許請求の範囲】
【請求項１】
表示部が設けられた表示装置と、前記表示部の周囲に配設され遊技の進行状況に応じて該遊技を演出する可動演出装置を備えた遊技機において、
前記可動演出装置は、ベース部材と、前記ベース部材上の第１の位置と第２の位置の間を移動可能な可動体と、前記可動体を移動するための駆動手段とを備え、
前記可動体には、第１の摺動部と、前記第１の摺動部とは異なる位置に配置された第２の摺動部が設けられると共に、前記可動体の移動に合わせて前記表示部の前面側を移動可能な装飾部材が前記可動体に設けられ、
前記ベース部材には、前記第１の摺動部が摺動可能に係合される第１の誘導部と、前記第２の摺動部が摺動可能に係合される第２の誘導部が設けられ、前記第１の誘導部は、その一端から他端にかけて前記表示部から離れる谷状部と前記表示部に近づく山状部が連通するように形成され、前記第２の誘導部は、その一端から他端にかけて前記表示部に徐々に近づくように略一直線状に形成され、前記第２の誘導部の一端は、前記第１の誘導部の一端よりも前記表示部から離れた位置に配置される一方、前記第２の誘導部の他端は、前記第１の誘導部の他端よりも前記表示部に近づく位置若しくは前記第１の誘導部の他端と前記表示部に対して同じ距離となるような位置に配置されており、
前記第１の摺動部および前記第２の摺動部が前記第１の誘導部の一端および前記第２の誘導部の一端に位置する場合を前記可動体の前記第１の位置、前記第１の摺動部および前記第２の摺動部が前記第１の誘導部の他端および前記第２の誘導部の他端に位置する場合を前記可動体の前記第２の位置となるように構成され、
前記可動体が前記第１の位置と前記第２の位置の間を移動する際に、前記装飾部材は、その先端の方向を変えつつ前記表示部の前面側での出没量に強弱が付けられるようにしたことを特徴とする遊技機。
【請求項２】
前記装飾部材は、装飾本体と、前記装飾本体と前記可動体との間に回動可能に軸支された副装飾体とにより構成され、
前記副装飾体は、付勢部材と、前記付勢部材と前記副装飾体とを連結する連結部材によって前記装飾本体側に付勢され、
前記ベース部材には、前記可動体が前記第１の位置から前記第２の位置へ移動するのに伴って前記連結部材に接触する接触部が形成され、
前記可動体が前記第１の位置から前記第２の位置へ移動する際に、前記連結部材が前記接触部に接触することによって前記付勢部材が付勢に抗して変位すると共に前記副装飾体が回動するようにしたことを特徴とする請求項１に記載の遊技機。
【請求項３】
前記ベース部材を覆うカバー体を備えると共に、前記可動体が前記第１の位置に位置する場合には、前記装飾部材が前記カバー体によって隠蔽され、前記可動体が前記第１の位置から第２の位置に移動するのに伴って、前記装飾部材が前記カバー体から露出されるようにしたことを特徴とする請求項１または２に記載の遊技機。
【請求項４】
前記可動演出装置は、前記表示部の所定方向両側に対になって設けられると共に、該一対の可動演出装置のそれぞれに設けられた各装飾部材は、前記第１の位置から第２の位置に移動するのに伴って、互いに接近するように配置されていることを特徴とする請求項１から３のいずれか一項に記載の遊技機。
【発明の詳細な説明】
【技術分野】
【０００１】
本発明は、パチンコ遊技機などの遊技機に関し、更に詳しくは、遊技の進行状況に応じて可動体を移動させて遊技を演出する可動演出装置が設けられた遊技機に関するものである。
【背景技術】
【０００２】
従来、この種の可動演出装置としては、下記特許文献１に開示されるように可動体を回動させて遊技を演出する遊技機がある。
【０００３】
この特許文献１の例えば図５には、カジキマグロを象った可動体１１を上下移動させるための上下変位機構１３と、カジキマグロの頭部１７を胴部１６に対して前後に移動させるための前後変位機構１１を備えた可動演出装置が示されている。
【０００４】
上下変位機構１３は、モータ４６と、モータ４６の回転軸４７に連結される回転盤４８と、一端部が可動体１１の回動支軸２０に固定されるリンクアーム５０を備えている。リンクアーム５０の他端部には長円形状の係合孔５７が形成され、この係合孔５７に回転盤４８の前面側に設けられた係合部５４が係合可能となっており、モータ４６の駆動による回転盤４８の回転に伴ってリンクアーム５０が回動させることで、可動体１１を表示部５の前面側に出没させることが可能になっている。
【０００５】
また、前後変位機構１１は、胴部１６の先端に設けられた頭部支持部２２と、頭部１７の側端部に設けられ頭部支持部２２を上下で挟持する一対のアーム部３４，３５と、胴部１６の内部に取り付けられる電磁ソレノイド４０を有している。また、前後変位機構１１は、胴部１６の内部に設けられた一対のアーム支持部２７，２８と、そのアーム支持部２７，２８に挿通される伝達アーム４３と、頭部１７の側端部に設けられたアーム部３４の掛止部３７と胴部１６の内部に設けられた掛止部２９とに掛止される復帰バネ４４を有している。
【０００６】
この場合、この前後変位機構１１においては、電磁ソレノイド４０のプランジャ４２の動きに連動して伝達アーム４３をスライドさせ、そのスライドされた伝達アーム４３の先端当接部６８によって頭部１７に設けられたアーム部３５を押圧することにより、頭部１７を胴部１６に対して前後に移動させることが可能になっている。
【先行技術文献】
【特許文献】
【０００７】
【特許文献１】特開２００５−１３５１２号公報
【発明の概要】
【発明が解決しようとする課題】
【０００８】
しかしながら、このような可動演出装置においては、可動体１１は上下変位機構１３によって円弧状の単純（規則的）な軌跡を描きながら移動されるだけなので、遊技者の興趣が損なわれやすく、その演出効果が高いとは言えないものであった。
【０００９】
そこで、本発明は、可動体を従来と異なる新たな軌跡を描きながら移動させることが可能な可動演出装置を備えた遊技機を提供することを目的とする。
【課題を解決するための手段】
【００１０】
上記課題を解決するために本発明は、表示部が設けられた表示装置と、前記表示部の周囲に配設され遊技の進行状況に応じて該遊技を演出する可動演出装置を備えた遊技機において、前記可動演出装置は、ベース部材と、前記ベース部材上の第１の位置と第２の位置の間を移動可能な可動体と、前記可動体を移動するための駆動手段とを備え、前記可動体には、第１の摺動部と、前記第１の摺動部とは異なる位置に配置された第２の摺動部が設けられると共に、前記可動体の移動に合わせて前記表示部の前面側を移動可能な装飾部材が前記可動体に設けられ、前記ベース部材には、前記第１の摺動部が摺動可能に係合される第１の誘導部と、前記第２の摺動部が摺動可能に係合される第２の誘導部が設けられ、前記第１の誘導部は、その一端から他端にかけて前記表示部から離れる谷状部と前記表示部に近づく山状部が連通するように形成され、前記第２の誘導部は、その一端から他端にかけて前記表示部に徐々に近づくように略一直線状に形成され、前記第２の誘導部の一端は、前記第１の誘導部の一端よりも前記表示部から離れた位置に配置される一方、前記第２の誘導部の他端は、前記第１の誘導部の他端よりも前記表示部に近づく位置若しくは前記第１の誘導部の他端と前記表示部に対して同じ距離となるような位置に配置されており、前記第１の摺動部および前記第２の摺動部が前記第１の誘導部の一端および前記第２の誘導部の一端に位置する場合を前記可動体の前記第１の位置、前記第１の摺動部および前記第２の摺動部が前記第１の誘導部の他端および前記第２の誘導部の他端に位置する場合を前記可動体の前記第２の位置となるように構成され、前記可動体が前記第１の位置と前記第２の位置の間を移動する際に、前記装飾部材は、その先端の方向を変えつつ前記表示部の前面側での出没量に強弱が付けられるようにしたことを要旨とするものである。
【００１１】
上記構成を有する遊技機によれば、ベース部材に設けられ、谷状部と山状部を有した湾曲形状の第１の誘導部と直線状の第２の誘導部に沿って、第１の誘導部に係合する第１の摺動部と第２の誘導部に係合する第２の摺動部が設けられた可動体を、第１の位置から第２の位置へと移動させることで、可動体に設けられた装飾部材は、ベース部材上の第１の位置と第２の位置の間を移動する際に、その先端側の方向（姿勢）を変えつつ表示部の前面側での出没量（移動量）に強弱が付けられるようにされており、装飾部材は従来と異なる新たな軌跡（移動経路）を描きながら移動させることが可能になっている。従って、その演出効果を従来よりも向上させることが可能になっている。
【００１２】
この場合、前記装飾部材は、装飾本体と、前記装飾本体と前記可動体との間に回動可能に軸支された副装飾体とにより構成され、前記副装飾体は、付勢部材と、前記付勢部材と前記副装飾体とを連結する連結部材によって前記装飾本体側に付勢され、前記ベース部材には、前記可動体が前記第１の位置から前記第２の位置へ移動するのに伴って前記連結部材に接触する接触部が形成され、前記可動体が前記第１の位置から前記第２の位置へ移動する際に、前記連結部材が前記接触部に接触することによって前記付勢部材が付勢に抗して変位すると共に前記副装飾体が回動するようにした構成にすると良い。このような構成によれば、一の駆動手段を用いるだけで、可動体（装飾部材）を第１の位置と第２に位置の間で移動させることが可能であると共に、副装飾体も回動させることが可能となっており、副装飾体を回動させるため専用の駆動手段、例えば上記特許文献のような電動ソレノイド等を別途用意する必要がない。したがって、これらの部材を移動または回動させるための機構が複雑化してしまうことが抑制されると共に、遊技機という限られた空間にこのような可動演出装置をコンパクトに配置することが可能となっている。
【００１３】
また、前記ベース部材を覆うカバー体を備えると共に、前記可動体が前記第１の位置に位置する場合には、前記装飾部材が前記カバー体によって隠蔽され、前記可動体が前記第１の位置から第２の位置に移動するのに伴って、前記装飾部材が前記カバー体から露出されるようにした構成にすると良い。このような構成によれば、装飾部材の移動（出没）をより目立たせることが可能となり、その演出効果をより際立たせることができる。
【００１４】
更に、前記可動演出装置は、前記表示部の所定方向両側に対になって設けられると共に、該一対の可動演出装置のそれぞれに設けられた各装飾部材は、前記第１の位置から第２の位置に移動するのに伴って、互いに接近するように配置されている構成にすると良い。このような構成によれば、例えば２つの可動演出装置の各装飾部材を遊技機の所定方向両側から接近させ、その接近させた状態でそれぞれの副装飾体を回動させる等の種々なる態様で遊技を演出することが可能であり、更に可動演出装置による演出効果を向上させることができる。
【発明の効果】
【００１５】
上記構成を有する遊技機によれば、可動演出装置が備える可動体に設けられた装飾部材は、ベース部材上の第１の位置と第２の位置の間を移動する際に、その先端側の方向（姿勢）を変えつつ表示部の前面側での出没量（移動量）に強弱が付けられるようにされており、従来と異なる新たな軌跡（移動経路）を描きながら装飾部材を移動させることが可能になっている。従って、その演出効果を従来よりも向上させることが可能になっている。
【図面の簡単な説明】
【００１６】
【図１】本発明の一実施形態に係る遊技機の一例を示した正面図である。
【図２】図１の遊技機が備える遊技盤の正面図である。
【図３】センター役物のセンターベースと可動演出装置の正面図である。
【図４】可動演出装置の分解斜視図である。
【図５】可動演出装置の正面図である。
【図６】図５の可動演出装置の動作を示した正面図である。
【図７】図６の可動演出装置の次の動作を示した正面図である。
【図８】図７の可動演出装置の次の動作を示した正面図である。
【図９】図７の可動演出装置の次の動作を示した正面図である。
【図１０】図５から図９の可動演出装置の一連の動作を一度に示した正面図である。
【発明を実施するための形態】
【００１７】
以下、本発明に係る遊技機の実施の形態について図面を参照して詳細に説明する。図１は本発明の実施形態に係る遊技機を示した正面図である。図示されるように、遊技機１はパチンコ遊技機である。
【００１８】
この遊技機１には、所要の奥行きを有する額縁形状に形成された機枠２を備えており、その機枠２の前面側には、左側縁が軸着されて前方に開閉可能に前面枠３が取り付けられ、その前面枠３に対して左側縁が軸着されて前面側に開閉可能に形成されたガラス枠４が取り付けられている。
【００１９】
尚、以下の説明においては、遊技機１の前面とは、遊技機１の正面側（遊技者が遊技を行う側）のことであり、遊技機１の裏面或いは後方とは遊技機１の背面側のことである。また遊技機１の左側、右側、上側、下側とは、遊技機１を正面側（遊技者側）から見た場合の左側、右側、上側、下側のことである。また、遊技機１を構成する各種部材においても、表側、裏側、前面側、後側等という場合、特に断りがない限り、遊技機１に装着された状態での表側、裏側、前面側、後側方向等である。
【００２０】
図１に示されるように、ガラス枠４には、遊技盤５の位置にガラス板またはプラスチック板等の透明板が嵌め込まれている。ガラス枠４には、この透明板を通して前面側から遊技盤５の遊技領域６を視認可能である。ガラス枠４には、遊技領域６へ発射するための遊技球を入れる上皿ユニット７が一体的に形成されている。上皿ユニット７には、貯留されている遊技球を下皿ユニット８に流下させるための上皿操作部９や、貸し出し可能な貸し球を払い出すための球貸し操作部等が設けられている。また、ガラス枠４の上部左右両側には、スピーカ１０，１０が設けられ、更にその下側には装飾ランプ１１，１１が設けられている。
【００２１】
図１に示されるように、前面枠３のガラス枠４の下方には、左側縁が軸着されて前面枠３に対して開閉可能な下皿ユニット８が組み付けられている。また、前面枠３の右下には、遊技球を発射操作するためのタッチスイッチを備える発射ハンドル１２が設けられている。下皿ユニット８は、払い出された遊技球のうち上皿ユニット７に入りきらない遊技球を貯めることが可能である。下皿ユニット８には、遊技球を下方に落下させるための下皿操作部１３等が設けられている。
【００２２】
図２は図１の遊技盤５を示す正面図である。遊技盤５は、ほぼ正方形の合板により成形されており、前面枠３に着脱可能に取り付けられている。この遊技盤５には、発射装置から発射された遊技球をガイドするための金属製の薄板からなる帯状の内側ガイドレール１４および外側ガイドレール１５が略円弧形状に立設されており、このガイドレール１４，１５によって遊技領域６の外郭の一部が形成されている。
【００２３】
図２に示されるように、遊技盤５の遊技領域６には、その中心線上において上から順に、遊技状況に応じた演出を行うことが可能な遊技演出装置としての表示装置１７、電動チューリップからなる始動入賞装置１８、長方形の開口部を開閉可能に覆っている蓋からなるアタッカー形式の特別入賞装置１９、アウト口２０が配置されている。また、表示装置１７の遊技領域６には、風車２１や、流下する遊技球が衝突することにより遊技球の流下態様に変化を与える障害物としての図示しない遊技釘が複数立設されている。遊技領域６を流下する遊技球は、遊技釘に衝突したときの条件に応じて様々な態様に変化して流下される。
【００２４】
表示装置１７としては、液晶表示パネルが適用されており、その矩形状の表示画面（表示部１７ａ）において特別図柄や普通図柄等が表示されるようになっている。この表示部１７ａの前面の周囲には、遊技の装飾効果（遊技演出効果）を高めるためのセンター役物３０が配設されている。センター役物３０は、前面側装飾部材４０などを備えている。前面側装飾部材４０は、遊技盤５の前面側に設けられており、その略中央には表示部１７ａを視認可能な開口部４０ａが形成され、表示部１７ａの周囲を装飾している。
【００２５】
可動演出装置５０は、表示部１７ａの下辺よりも下方の左右両側に配置されており、龍の頭部の形状を模した装飾部材８０（以下、龍装飾部材８０と称する）を備えている。この龍装飾部材８０は、図２に示されるような前面側装飾部材４０の下側に設けられたカバー体４０ｂの背面側に隠れるように配置される待機位置（第１の位置）Ｐ１と、前面側装飾部材４０の開口部４０ａ内、つまり表示部１７ａの下辺からその前面側に現れる（露出される）ように配置される露出位置（第２の位置）Ｐ２との間を往復移動できるようになっている。更に、図示されるように、露出位置Ｐ２において、龍装飾部材８０の副装飾体（下顎部）８２を、装飾本体（頭部および上顎部）８１に対して開くように回動した姿勢に移動することができるようになっている。
【００２６】
例えば、入賞装置に遊技球が入賞して表示部１７ａで表示図柄がリーチになる等、遊技状態が変化して、遊技機１に備えられる制御回路等から可動演出装置５０，５０を駆動させる命令が発生すると、龍装飾部材８０，８０は、図２に示されるようなカバー体４０ｂの背面側に隠れるように配置される待機位置（第１の位置）Ｐ１から、前面側装飾部材４０の開口部４０ａ内に現れる（露出される）ように配置される露出位置（第２の位置）Ｐ２にその向きを変えつつ移動させられると共に、露出位置Ｐ２において龍の口を開くように副装飾体（下顎部）８２が回動されるようになっている。
【００２７】
尚、特に図示しないが、遊技機１の背面側には、枠用外部端子基板、表示制御基板、主制御基板、音声制御基板、ランプ制御基板、払出制御基板、発射制御基板、電源基板等の各種基板や、カードインターフェース接続部、球タンク、タンクレール、屈曲樋、球切れ検出スイッチ、球払出装置，球排出樋、発射装置等の遊技機構成部材が設けられている。
【００２８】
このような遊技機１においては、発射ハンドル１２の操作により発射装置から遊技領域６に遊技球を発射すると、遊技球が遊技領域６の表面を転動しながら落下し、その遊技球が始動入賞装置１８、特別入賞装置１９等の入賞装置に入ると、所定数の賞球遊技球が、払い出されるように構成されている。
【００２９】
図３は、センター役物３０の背面側に設けられたセンターベース４１とこのセンターベース４１に取り付けられた可動演出装置５０，５０の正面図を示している。尚、図３においては遊技盤５、前面側装飾部材４０の記載は省略されている。
【００３０】
図示されるように、センターベース４１は、可動演出装置５０，５０などの部材を取り付けるための枠体状の部材である。尚、前面側装飾部材４０は遊技盤５の前面側に装着され、センターベース４１は遊技盤５の背面側に装着されるようになっており、遊技盤５は前面側装飾部材４０とセンターベース４１との間に挟み込まれるように配設されるように構成されている。
【００３１】
センターベース４１は、表示部１７ａの周囲を囲むように形成されており、その中央部分には、表示装置１７の表示部１７ａを視認可能にするための開口部４１ａが設けられている。この場合、開口部４１ａの背面側に表示装置１７は取り付けられるようになっている。また、センターベース４１の前面側は、前面側装飾部材４０にその背面側から光を照射するＬＥＤ（発光ダイオード）４３が複数実装されたＬＥＤ基板４２などの各種部材を取り付けたり収納したりするための額縁状の枠体として形成されている。
【００３２】
図示されるように、可動演出装置５０，５０は、センターベース４１の矩形状の開口４１ａの下辺（表示部１７ａの下辺）よりも下方の左右両側に対になるように配設されている。この場合、対になって設けられた２つの可動演出装置５０，５０は、左右対称の同一の構造（形状）を有しており、両可動演出装置５０，５０が備える龍装飾部材８０、８０は互いに向き合うように配置されている。したがって、左右一対の可動演出装置５０，５０は、図示されるように左右対称の同一の構造（形状）を有しているので、以下の説明では、主に左側に配置される可動演出装置５０について説明し、右側に配置される可動演出装置５０についての説明は省略する。
【００３３】
図４は、左側に配置される可動演出装置５０を前面側から見た分解斜視図、図５〜図９は左側の可動演出装置５０の動作を順に示した正面図である。また、図１０は、図５〜図９の可動演出装置５０の一連の動作を一度に示した正面図である。尚、図５（ａ）〜図９（ａ）においては、図５（ｂ）〜図９（ｂ）に示される装飾本体（頭部および上顎部）８１、ＬＥＤ基板８３、モータ取付部材７５等の記載が省略されている。
【００３４】
図４および図５に示されるように、可動演出装置５０には、ベース部材６１、可動体６４、連結部材６７、付勢バネ６８、連結アーム７１、揺動アーム７２、回動部材７３、モータ７４、龍装飾部材８０およびＬＥＤ基板８３などが備えられている。
【００３５】
ベース部材６１は、略Ｔ字形状を有する板状の部材で、センターベース４１に図示しない固定ネジによって取付可能になっている。このベース部材６１は、左右方向に延びる第１の誘導部６２と同じく左右方向に延びる第２の誘導部６３が設けられる横長の長方形状を有する上部６１ａと、この上部６１ａの中央から下方に延出された略正方形状を有する下部６１ｂとを備えている。
【００３６】
第１の誘導部６２は、上部６１ａの中央部の右側寄りの位置から左端部の位置にかけて略波形を有する溝形状に開口形成されており、その中央から左側の谷状部６２ａと中央から右側の山状部６２ｂを備えている。この第１の誘導部６２には、後述する可動体６４の第１の摺動部６５がその第１の誘導部６２に沿って摺動可能に係合されるようになっている。この場合、谷状部６２ａはその最下点６２ｃが、ベース部材６１（上部６１ａ）の上端（表示部１７ａの下辺）から上下方向において離れるように形成され、山状部６２ｂはその頂点６２ｄが、ベース部材６１（上部６１ａ）の上端（表示部１７ａの下辺）に上下方向において近づくように形成されている。
【００３７】
この場合、第１の誘導部６２は、谷状部６２ａの左端（第１の誘導部６２の一端）６２ｅから最下点６２ｃに向かって下傾する第１の下傾部６２ｆと、山状部６２ｂの頂点６２ｄからその右端（第１の誘導部６２の他端）６２ｇに向かって下傾する第２の下傾部６２ｈを有している。また、第１の誘導部６２は、これら第１の下傾部６２ｆと第２の下傾部６２ｈを繋ぐ、つまり谷状部６２ａの最下点６２ｃから山状部６２ｂの頂点６２ｄに向かって上傾する上傾部６２ｉを有している。これら第１の下傾部６２ｆと上傾部６２ｉとの間（最下点６２ｃ）および上傾部６２ｉと第２の下傾部６２ｈとの間（頂点６２ｄ）は緩やかに円弧状に連通している。
【００３８】
第２の誘導部６３は、第１の誘導部６２よりも下方の位置で、上部６１ａの中央部の左寄りの位置から右端部の位置にかけて直線形を有する溝形状に開口形成されている。この第２の誘導部６３には、後述する可動体６４の第２の摺動部６６がその第２の誘導部６３に沿って摺動可能に係合されるようになっている。この場合、第２の誘導部６３は、左端（第２の誘導部６３の一端）６３ａから右端（第２の誘導部６３の他端）６３ｂにかけて上傾するように形成されている。つまり、第２の誘導部６３は、その一端６３ａから他端６３ｂにかけて表示部１７ａに徐々に近づくように略一直線状に構成されている。尚、上述した第１の誘導部６２の上傾部６２ｉの上り勾配の角度は、第２の誘導部６３の上り勾配の角度よりも大きくなるように構成されており、後述する龍装飾部材８０が移動する際のその出没量（移動量）に強弱（アクセント）を付けることが可能になっている。
【００３９】
この場合、第２の誘導部６３の左端（一端）６３ａは、第１の誘導部６２の左端（一端）６２ｅよりも上部６１ａの上端（表示部１７ａの下辺）から上下方向において離れた位置に配置される一方、第２の誘導部６３の右端（他端）６３ｂは、第１の誘導部６２の右端（他端）６２ｇと上部６１ａの上端（表示部１７ａの下辺）に対して上下方向において同じ距離となるような位置或いは第１の誘導部６２の右端（他端）６２ｇよりも上部６１ａの上端（表示部１７ａの下辺）に上下方向において近づく位置に配置されている。また、第１の誘導部６２の右端（他端）６２ｇの延長線上に第２の誘導部６３があるため、第１の誘導部６２と第２の誘導部６３が交差して干渉しないような範囲で構成されている。
【００４０】
ベース部材６１の上部６１ａの右端部の下方には、円柱状の接触用凸部６１ｃが、前方に向かって突出形成されており、後述する連結部材６７の被接触部６７ｇが接触可能となっている（図９参照）。
【００４１】
また、ベース部材６１の下部６１ｂの下方の中央から右側寄りの位置には、円筒状の取付凸部６１ｄが前方に向かって突出形成されており、その取付凸部６１ｄの外周に、後述する揺動アーム７２の取付筒部７２ｄの内部（取付孔７２ｅ）が、その揺動アーム７２が回動可能に緩く嵌合するようになっている。更に、その取付凸部６１ｄの右側下方位置には、後述するセンサ基板７６の後端の取付部７６ａが装着されるスリット６１ｅが開口形成されている。
【００４２】
可動体６４は、略Ｖ字形状を有する板状の部材で、上述したベース部材６１上（前面側）を移動することが可能になっており、ベース部材６１の第１の誘導部６２に摺動可能に係合される円筒状の第１の摺動部６５と、第２の誘導部６３に摺動可能に係合される円筒状の第２の摺動部６６がそれぞれ背面から後方に向かって突出形成されている。この場合、第１の摺動部６５は、可動体６４の中央部６４ａから左側に上傾するように延設された左延設部６４ｂの左端部の上方位置に配置され、第２の摺動部６６は、可動体６４の中央部６４ａの左寄りの上方位置に配置されている。
【００４３】
この場合、可動体６４の第１の摺動部６５と第２の摺動部６６を、それぞれベース部材６１の第１の誘導部６２と第２の誘導部６３に挿入して、座金５１，５１を介在させた状態で固定ネジ５２，５２を第１の摺動部６５と第２の摺動部６６の先端のネジ孔に螺合させることで、第１の摺動部６５と第２の摺動部６６は、それぞれベース部材６１の第１の誘導部６２と第２の誘導部６３から容易に外れないように係合されて、摺動可能に構成されている。
【００４４】
また、可動体６４の中央部６４ａおよびその中央部６４ａから右側に上傾するように延設された右延設部６４ｃには、後述する龍装飾部材８０の装飾本体（龍頭部および上顎部）８１の背面側に設けられた図示しない取付部がネジ止めされて固定されるためのネジ孔６４ｄが複数形成されている。更に、可動体６４の右延設部６４ｃの右端部には、円筒状の取付凸部６４ｅが前方に向かって突出形成されており、この取付凸部６４ｅの外周に、龍装飾部材８０の副装飾体（下顎部）８２の取付筒部８２ａの内部（取付孔８２ｂ）が、その副装飾体８２が回動可能に緩く嵌合するようになっている。
【００４５】
また、可動体６４の左延設部６４ｂの左端部の下方位置には、円筒状の取付凸部６４ｆが前方に向かって突出形成されており、この取付凸部６４ｆの外周に、後述する連結部材６７の取付孔６７ｃと連結アーム７１の取付孔７１ａが、それら連結部材６７および連結アーム７１が回動可能に緩く嵌合するようになっている。更に、可動体６４の第２の摺動部６６の左上方位置には、前方に向かって突出されたバネ係止片６４ｇが形成されており、このバネ係止片６４ｇに後述する付勢バネ６８の一端の取付円環部６８ａが係止可能になっている。
【００４６】
連結部材６７は、略Ｖ字形状を有する板状の部材で、可動体６４と一緒にベース部材６１上（前面側）を移動することが可能であると共に、後述する副装飾体（下顎部）８２を装飾本体（頭部および上顎部）８１に対して回動させることが可能になっている（図９参照）。この連結部材６７の略三角形の中央部６７ａの上端から左側に延設された左延設部６７ｂの左端部には、上述した可動体６４の取付凸部６４ｆが遊嵌される取付孔６７ｃが形成されている。また、この取付孔６７ｃの上方には、付勢バネ６８の他端の取付円環部６８ｂが係止されるバネ係止片６７ｄが前方に向かって突出形成されている。
【００４７】
また、連結部材６７の中央部６７ａから右側に上傾するようにアーム状に延設された右延設部６７ｅの右端部には、円柱状の伝達部６７ｆが前方に向かって突出形成されており、この伝達部６７ｆは、副装飾体８２の取付筒部８２ａから延設された延設部８２ｃに形成された回動溝部８２ｄ内に挿入可能になっている。更に、連結部材６７の中央部６７ａの下端は、図９に示されるようにベース部材６１の接触用凸部６１ｃに接触（摺接）可能な被接触部６７ｇとして構成されている。
【００４８】
連結アーム７１は、略直線形状を有する板状の部材で、上述した可動体６４に回動自在に軸支されると共に後述する揺動アーム７２に回動自在に軸支されて両者を連結することが可能になっており、可動体６４の取付凸部６４ｆが遊嵌される取付孔７１ａを左端部に備えると共に、揺動アーム７２の取付孔７２ｃに遊嵌される円筒状の取付凸部７１ｂを右端部に備える。この場合、可動体６４の取付凸部６４ｆを、連結部材６７の取付孔６７ｃと連結アーム７１の取付孔７１ａに挿入させ、座金５１を介在させた状態で固定ネジ５２を取付凸部６４ｆの先端に螺合させることで、連結部材６７および連結アーム７１は、その取付凸部６４ｆに回動可能に軸支されると共に容易に外れないようにされる。
【００４９】
揺動アーム７２は、略逆Ｌ字形状を有する板状の部材で、上述した連結アーム７１を介して可動体６４および連結部材６７を移動させることが可能になっている。揺動アーム７２の中央部７２ａから湾曲するように延設された回動アーム部７２ｂの先端部には、取付孔７２ｃが開口形成されており、上述した連結アーム７１の取付凸部７１ｂの外周に遊嵌可能になっている。この場合、連結アーム７１の取付凸部７１ｂを揺動アーム７２の取付孔７２ｃに挿入し、座金５１を介在させた状態で固定ネジ５２を取付凸部７１ｂの先端に螺合させることで、揺動アーム７２は、その取付凸部７１ｂに回動可能に軸支されると共に容易に外れないようにされる。
【００５０】
揺動アーム７２の中央部７２ａには、後方に向かって突出形成された取付筒部７２ｄが設けられており、その取付筒部７２ｄに開口形成された取付孔７２ｅには、上述したベース部材６１の取付凸部６１ｄの外周がやや緩く嵌合するように挿入可能になっている。ベース部材６１の取付凸部６１ｄに取付孔７２ｅが遊嵌された揺動アーム７２は、その取付凸部６１ｄに回動可能に軸支される。また、揺動アーム７２の回動アーム部７２ｂに対して略直角状となるように中央部７２ａから延設された延設部７２ｆには、長孔形状に開口された回動溝部７２ｇが形成されており、後述する回動部材７３の伝達部７３ｃが挿入されるようになっている。
【００５１】
回動部材７３は、略長円形状を有する板状の部材で、後述するモータ７４の駆動軸７４ａに固定されてその駆動軸７４ａと一体回転可能な軸固定部７３ａと、この軸固定部７３ａから延設された延設部７３ｂの背面から後方に向かって突出形成された円筒状の伝達部７３ｃを備えている。伝達部７３ｃは、上述した揺動アーム７２にモータ７４の駆動軸７４ａの回転力を伝達するためのもので、この場合、揺動アーム７２の回動溝部７２ｇ内に係合可能になっている。また、延設部７３ｂの先端には、位置検出用突起部７３ｄが外側に向かって突出形成されている。この位置検出用突起部７３ｄは、後述するセンサ基板７６に実装された初期位置検出スイッチ７７の対向検出部７７ａ，７７ａの間に受容可能に配置されるようになっている（図５（ａ）参照）。
【００５２】
モータ７４は、上述した回動部材７３を回転動させることが可能となっており、その駆動軸７４ａが回動部材７３の軸固定部７３ａに固定されるようになっている。このような回転駆動源であるモータ７４としては、ステッピングモータが適用されており、回動部材７３を正転方向に所定角度回転させたり、その正転方向とは反対の反転方向に所定角度回転させたりすることが可能になっている。このモータ７４にはコネクタ部７４ｃが設けられており、モータ７４は、遊技機１が備える制御回路等とこのコネクタ部７４ｃおよび図示しないケーブルを介して電気的に接続されて、制御回路等によってモータ７４の回転駆動が制御可能となっている。
【００５３】
この場合、モータ７４は、略コ字形状を有するモータ取付部材７５を介してベース部材６１の下部６１ｂに下方位置に取付固定することが可能になっている。モータ取付部材７５は、横長の略長方形状を有するモータ取付部７５ａを備えており、そのモータ取付部７５ａに形成されたネジ孔７５ｂ，７５ｂに、モータ７４の左右両端に形成された取付孔７４ｂ，７４ｂに通した固定ネジ５２，５２を螺合することで、モータ７５は、モータ取付部７５ａに固定されるようになっている。
【００５４】
また、モータ取付部材７５は、モータ取付部７５ａの左右両端から後方に向かって突出形成された脚部７５ｃ，７５ｃを備えており、脚部７５ｃ，７５ｃの前端に開口形成された取付孔７５ｄ，７５ｄに固定ネジ５２，５２を挿入して、ベース部材６１の下部６１ｂの下方位置の両端に形成されたネジ孔６１ｆ，６１ｆに螺合することで、モータ取付部材７５をベース部材６１に取付固定することが可能になっている。
【００５５】
更に、モータ取付部材７５のモータ取付部７５ａの右側位置には、センサ基板７６の取付部７６ｂが装着されるスリット７５ｅが開口形成されている。この場合、センサ基板７６の前端の取付部７６ｂを、モータ取付部７５ａのスリット７５ｅに装着すると共に、センサ基板７６の後端の取付部７６ａを、ベース部材６１のスリット６１ｅに装着することで、センサ基板７６は、モータ取付部材７５のモータ取付部７５ａとベース部材６１の下部６１ｂとの間に挟まれた状態で固定されるようになっている。そして、ベース部材６１とモータ取付板７５の間で、回動部材７３の一部と回動部材７３に連動する揺動アーム７２の一部が回転駆動源であるモータ７４の駆動に応じて変位可能に構成されている。
【００５６】
このセンサ基板７６の左側の面には、初期位置検出スイッチ７７が実装されている。この位置検出スイッチ７７の対になって設けられた対向検出部７７ａ、７７ａの内部には、図示しない位置検出素子が内蔵されている。これら一対の位置検出素子は、相互間で信号（例えば赤外線）を送受信することが可能になっている。このような対向検出部７７ａ，７７ａによる信号の送受信は、上述した回動部材７３の位置検出用突起部７３ｄによって遮ることが可能になっている（図５（ａ）参照）。
【００５７】
このような回動部材７３の位置検出用突起部７３ｄが、対向検出部７７ａ，７７ａの間に配置されることで、対向検出部７７ａ，７７ａによる信号の送受信が不能となるので、この状態を初期位置（原点または基準位置）として回動部材７３をモータ７４によって正転方向に所定角度回転させたり、反転方向に所定角度回転させたりすることが可能になっている。尚、センサ基板７６の右側の面には、コネクタ部７６ｃが設けられており、センサ基板７６は、遊技機１が備える制御回路等とこのコネクタ部７６ｃおよび図示しないケーブルを介して電気的に接続されて、制御回路等からの初期位置検出スイッチ７７への電源の供給や、制御回路等による初期位置検出スイッチ７７からの検出信号の受信が可能になっている。
【００５８】
龍装飾部材８０は、上述した可動体６４の右延設部６４ｃの前面にネジ孔６４ｄにネジを螺合することで取付固定されるようになっており、この龍装飾部材８０は、龍の頭部および上顎部の形状を模した装飾本体８１と龍の下顎部の形状を模した副装飾体８２とから構成されている。
【００５９】
装飾本体８１の龍の目に相当する部分には、赤色クリアーなどの半透明の樹脂材料からなる透光部８１ａが設けられており、装飾本体８１の背面側に配置されるＬＥＤ基板８３の先端部に実装されたＬＥＤ（発光ダイオード）８４からの光が照射可能になっている。ＬＥＤ８４からの光が装飾本体８１の透光部８１ａを透過することで、装飾本体８１の透光部（龍の目部分）８１ａが光るように視認されるようになっている。
【００６０】
ＬＥＤ基板８３には複数の取付孔８３ａが設けられており、固定ネジ５２を介して装飾本体（龍の頭部および上顎部）８１の背面に取付固定することが可能になっている。尚、ＬＥＤ基板８３の後端部にはコネクタ部８３ｂが設けられており、ＬＥＤ基板８３は、遊技機１が備える制御回路等とこのコネクタ部８３ｂおよび図示しないケーブルを介して電気的に接続されて、制御回路等からのＬＥＤ基板８３への電源の供給や点灯信号の送信が可能になっている。この場合、装飾本体８１の後端部には、ＬＥＤ基板８３のコネクタ部８３ｂが露出されるように切欠部８１ｂが切欠形成されている（図５（ｂ）参照）。
【００６１】
副装飾体（下顎部）８２には、後方に向かって突出形成された取付筒部８２ａが設けられており、その取付筒部８２ａに開口された取付孔８２ｂに、上述した可動体６４の取付凸部６４ｅの外周がやや緩く嵌合するようになっている。可動体６４の取付凸部６４ｅに副装飾体８２の取付筒部８２ａを遊嵌することで、その副装飾体８２は取付凸部６４ｅに回動自在に軸支される。
【００６２】
また、副装飾体８２の取付筒部８２ａから延設された延設部８２ｃには、長孔形状を有する回動溝部８２ｄが開口形成されており、上述した連結部材６７の伝達部６７ｆがその回動溝部８２ｄ内に挿入可能になっている。回動溝部８２ｄに挿入された連結部材６７の伝達部６７ｆが所定の方向に回動（移動）することで、副装飾体８２は、可動体６４の取付凸部６４ｅに軸支された取付筒部８２ａを中心に回動可能になっている（図９参照）。
【００６３】
このような構成を有する可動演出装置５０において、可動体６４（龍装飾部材８０）が、図１０の矢印１０１〜１０４に示される軌跡を描くようにその向きを変えつつ移動する動作（出没動作）について図５〜図９を用いて説明する。
【００６４】
図５（ａ）に示されるように、可動体６４の第１の摺動部６５は、ベース部材６１の第１の誘導部６２の左端６２ｅに位置すると共に、可動体６４の第２の摺動部６６は、ベース部材６１の第２の誘導部６３の左端６３ａに位置している。このときの可動体６４（龍装飾部材８０）のベース部材６１に対する位置を第１の位置Ｐ１とする（図２参照）。この第１の位置Ｐ１においては、連結部材６７は、そのバネ係止片６７ｄと可動体６４のバネ係止片６４ｇの間に取り付けられた付勢バネ６８の引っ張り（付勢）によって、その取付孔６７ｃが軸支された可動体６４の取付凸部６４ｆを中心にして下方へと回動するように引っ張られた状態になっている。この場合、可動体６４の前面側に連結部材６７を重ね合わせたように配置されているが、両者は互いに重ならない部分をお互い備えており、連結部材６７の可動体６４と重ならない部分に被接触部６７ｇを設けることにより、被接触部６７ｇにベース部材６１の接触用凸部６１ｃが接触してその被接触部６７ｇが押圧された際に、可動体６４が邪魔にならずに連結部材６７が変位可能に構成されている。
【００６５】
このような付勢バネ６８の付勢による連結部材６７の下方への回動力によって、副装飾体８２の回動溝部８２ｄに挿入された伝達部６７ｆが、その回動溝部８２ｄを下方へと引っ張る状態になっているため、副装飾体（下顎部）８２は、図５（ｂ）に示されるように装飾本体（上顎部）８１に当接する（龍装飾部材８０の口を閉じる）ように保持されている。尚、このような副装飾体（下顎部）８２が装飾本体（上顎部）８１に当接した状態（龍装飾部材８０の口が閉じられた状態）は、図８に示されるような可動体６４と共に移動した連結部材６７の被接触部６７ｇが、ベース部材６１の接触用凸部６１ｃに接触して押圧されるまでの間、保持されるようになっている。
【００６６】
また、この第１の位置Ｐ１においては、モータ７４の駆動軸７４ａに一体回転可能に固定された回動部材７３の位置検出用突起部７３ｄは、センサ基板７６の初期位置検出スイッチ７７の対になった対向検出部７７ａの送受信を遮るようにそれらの間に受容されており、この状態を初期位置（原点または基準位置）として回動部材７３をモータ７４によって、図５（ａ）に示される姿勢から図９（ａ）に示される姿勢へと時計回り所定角度回転させたり、逆に、図９に示される姿勢から図５に示される姿勢へと反時計回りに所定角度回転させたりすることが、遊技機１が備える制御回路によって制御されるようになっている。
【００６７】
次に、入賞装置に遊技球が入賞して表示部１７ａにおいて表示図柄がリーチになる等、遊技状態が変化して、遊技機１に備えられる制御回路等が、可動演出装置５０のモータ７４を駆動させる命令が発生すると、制御回路はモータ７４を回転させる。
【００６８】
図６（ａ）に示されるように、モータ７４の駆動によって回動部材７３が正面視で時計回りに回転されると、それに伴って揺動アーム７２の回動アーム部７２ｂが取付筒部７２ｄ（取付凸部６１ｄ）を中心にして右方向へと回動を開始する。このとき、回動アーム部７２ｂの先端の取付孔７２ｃと可動体６４の取付凸部６４ｆとを連結する連結アーム７１によって、その可動体６４は連結部材６７と共に移動を開始する。このとき、可動部材６４の第１の摺動部６５は、ベース部材６１の第１の誘導部６２の第１の下傾部６２ｆに沿って斜め右下方向へと移動すると共に、第２の摺動部６６は、第２の誘導部６３に沿って斜め右上方向へと移動する。
【００６９】
このような可動体６４の第１の摺動部６５の斜め右下方向への移動と第２の摺動部６６の斜め右上方向への移動のように、第１の摺動部６５の右への移動方向と第２の摺動部６６の右への移動方向が右側において閉じるように交差した構成になっているので、可動体６４は連結部材６７と共にその向きを変えつつ（その姿勢を起こしつつ）、右斜め上方へと移動を開始する。これに伴い、可動体６４に固定された龍装飾部材８０も、その先端の向きを変えつつ（その姿勢を起こしつつ）、図１０中の矢印１０１に示される軌跡を描きながら右斜め上方へと移動する。
【００７０】
次に、図７（ａ）に示されるように、モータ７４の駆動によって回動部材７３が、更に時計回りに回転されると、それに伴って揺動アーム７２の回動アーム部７２ｂが取付筒部７２ｄ（取付凸部６１ｄ）を中心にして更に右方向へと回動する。このとき、可動部６４の第１の摺動部６５は、ベース部材６１の第１の誘導部６２の第１の下傾部６２ｆに沿って最下点６２ｃ手前位置まで斜め右下方向へと移動すると共に、第２の摺動部６６は、第２の誘導部６３に沿ってその略中央にまで斜め右上方向へと移動する。このとき、図６の場合と同様に、可動体６４は連結部材６７と共に更にその向きを変えつつ（更にその姿勢を起こしつつ）、右斜め上方へと移動する。これに伴い、可動体６４に固定された龍装飾部材８０も、更にその先端の向きを変えつつ（更にその姿勢を起こしつつ）、図１０中の矢印１０２に示される軌跡を描きながら右斜め上方へと移動する。
【００７１】
次に、図８（ａ）に示されるように、モータ７４の駆動によって回動部材７３が、更に時計回りに回転されると、それに伴って揺動アーム７２の回動アーム部７２ｂが取付筒部７２ｄ（取付凸部６１ｄ）を中心にして更に右方向へと回動する。このとき、可動部６４の第１の摺動部６５は、ベース部材６１の第１の誘導部６２の最下点６２ｃ手前位置（図７（ａ）の状態）から上傾部６２ｉを通って頂点６２ｄを越える位置（図８（ａ）の状態）にまで斜め右上方向へと移動すると共に、第２の摺動部６６は、第２の誘導部６３に沿ってその略中央を越えて更に斜め右上方向へと移動する。
【００７２】
この場合、可動体６４の第１の摺動部６５の斜め右上方向への移動と第２の摺動部６６の斜め右上方向への移動のように、第１の摺動部６５の右への移動方向と第２の摺動部６６の右への移動方向が右側において開くように交差した構成になっているので、可動体６４は連結部材６７と共にその向きをほぼ変えずに、右横方向へと移動するようになっている。これに伴い、第１の誘導部６２の最下点６２ｃから頂点６２ｄへ可動体６４が移動する際は、可動体６４に固定された龍装飾部材８０の先端の向きが下方向に少し傾けられ（起こした姿勢から少し下に下がり）、頂点６２ｄから下傾部６２ｈに可動体６４が移動すると再び先端の向きを上方向へと変えつつ（再びその姿勢を起こしつつ）、図１０中の矢印１０３に示される軌跡を描くように龍装飾部材８０の先端の高さがあまり変わらない状態で右横方向へと移動する。この間の可動体６４の動きによって、図６から図７へのような龍装飾部材８０の出没量（移動量）の勢いが一瞬弱まった感じを遊技者に与えることが可能になる。
【００７３】
次に、図９（ａ）に示されるように、モータ７４の駆動によって回動部材７３が、更に時計回りに回転されると、それに伴って揺動アーム７２の回動アーム部７２ｂが取付筒部７２ｄ（取付凸部６１ｄ）を中心にして更に右方向へと回動する。このとき、可動部６４の第１の摺動部６５は、ベース部材６１の第１の誘導部６２の第２の下傾部６２ｈに沿って右端６２ｇ位置にまで斜め右下方向へと移動すると共に、第２の摺動部６６は、第２の誘導部６３に沿ってその右端６３ｂ位置にまで斜め右上方向へと移動する。
【００７４】
このときも、第１の摺動部６５の右への移動方向と第２の摺動部６６の右への移動方向が右側において閉じるように交差した構成になっているので、可動体６４はその向きを変えつつ（その姿勢を起こしつつ）、右斜め上方へと移動する。これに伴い、可動体６４に固定された龍装飾部材８０も、その先端の向きを変えつつ（その姿勢を起こしつつ）、図１０中の矢印１０４に示される軌跡を描きながら右斜め上方へと移動する。尚、このときの可動体６４（龍装飾部材８０）のベース部材６１に対する位置を第２の位置Ｐ２とする（図２参照）。この場合、図９に示されるように第１の誘導部６２の他端６２ｇの位置を第２の誘導部６３の他端６３ｂよりも表示装置１７の表示部１７ａに近い位置に設けているが、第１の誘導部６２の他端６２ｇと第２の誘導部６３の他端６３ｂの表示装置１７の表示部１７ａに対する距離が同じになるように構成してもよい。但し、第１の誘導部６２の他端６２ｇの位置を第２の誘導部６３の他端６３ｂよりも表示装置１７の表示部１７ａに近い位置に設けた方が、龍装飾部材８０の出没量（移動量）を大きくすることが可能である。
【００７５】
また、このような可動体６４の移動に伴って、連結部材６７の被接触部６７ｇは、ベース部材６１の接触用凸部６１ｃに、その被接触部６７ｇの右端から左端にかけて当接（摺接）されるようになっている。このような被接触部６７ｆの接触用凸部６１ｃへの接触によって、連結部材６７ｃは、付勢バネ６８の引っ張り（付勢）に抗して、可動体６４に対して上方へと回動される。そして、連結部材６７の上方への回動に伴い、副装飾体８２の回動溝部８２ｄに挿入された伝達部６７ｆが上方に移動すると、副装飾体（下顎部）８２はその取付筒部８２ａ（取付凸部６４ｅ）を中心にして下方へと回動させられ、図９（ｂ）に示されるように龍装飾部材８０は龍の口が開いたような状態にされる。
【００７６】
その後、遊技機１の遊技状態が変化して、制御回路等がモータ７４を再び駆動させる命令が発生すると、制御回路等はモータ７４を反転方向に回転させる。このようなモータ７４の駆動によって回動部材７３が反時計回りに回転されると、それに伴って揺動アーム７２は左側に回動されて、可動体６４（龍装飾部材８０）は、第２の位置Ｐ２から、図１０に示されるような矢印１０４，１０３，１０２，１０１の順で上述した場合とは逆の軌跡を描きながら、第１の位置Ｐ１にまで戻ることになる。
【００７７】
つまり、龍装飾部材８０は、図２に示されるような前面側装飾部材４０の下側に設けられたカバー体４０ｂの背面側に隠れるように配置される待機位置（第１の位置）Ｐ１と、前面側装飾部材４０の開口部４０ａ内、つまり表示部１７ａの下辺からその前面側に現れる（露出される）ように配置される露出位置（第２の位置）Ｐ２との間を往復移動することが可能になっている。更に、図示されるように、露出位置Ｐ２において、龍装飾部材８０の副装飾体（下顎部）８２を、装飾本体（頭部および上顎部）８１に対して開くように回動した姿勢にすることが可能になっている。そして、装飾本体（頭部および上顎部）８１に対して副装飾体（下顎部）８２が開いた姿勢にすることで、龍の口が開いたような状態になり、表示装置１７の表示部１７ａにその状態に合わせた画像表示、例えば、口から火が吹いてるような画像を表示することで、演出効果をより高めることが可能である。
【００７８】
このように可動演出装置５０が備える可動体６４（龍装飾部材８０）は、第１の位置Ｐ１か第２の位置Ｐ２との間を、図１０の矢印１０１〜１０４に示される軌跡を描くようにその向きを変えつつ移動することが可能になっている。より具体的には、可動体６４（龍装飾部材８０）は、図１０に示されるような矢印１０１および矢印１０２の軌跡を描きながら右斜め上方向に移動し、次に、そのまま矢印１０２を延長したような軌跡を描かずに、矢印１０１および矢印１０２の方向とは異なる方向を有する矢印１０３の軌跡を描きながら右横方向へと移動し、更に、再び矢印１０３とは異なる方向を有する矢印１０４の軌跡を描きながら右斜め上方向へと移動するようになっている。
【００７９】
したがって、可動体６４（龍装飾部材８０）は、従来のような直線移動または円弧移動のような単純（規則的）な軌跡を描きながら移動されるのではなく、矢印１０１〜１０４に示されるような移動方向が複数回変更されるような複雑（不規則）な軌跡を描きながら移動されるので、その出没量（移動量）に強弱が付けられてその演出効果を従来よりも向上させることが可能になっている。
【００８０】
以上説明した可動演出装置５０は、ベース部材６１上の第１の位置Ｐ１と第２の位置Ｐ２の間を移動可能な可動体６４と、可動体６４を移動するための駆動手段７４とを備え、可動体６４には、第１の摺動部６５と、第１の摺動部６５とは異なる位置に配置された第２の摺動部６６が設けられると共に、可動体６４の移動に合わせて表示部１７ａの前面側を移動可能な装飾部材８０が可動体６４に固定して設けられ、ベース部材６１には、第１の摺動部６５が摺動可能に係合される第１の誘導部６２と、第２の摺動部６６が摺動可能に係合される第２の誘導部６３が設けられ、第１の誘導部６２は、その一端６２ｅから他端６２ｇにかけて表示部１７ａから離れる谷状部６２ａと表示部１７ａに近づく山状部６２ｂが連通するように形成され、第２の誘導部６３は、その一端６３ａから他端６３ｂにかけて表示部１７ａに徐々に近づくように略一直線状に形成され、第２の誘導部６３の一端６３ａは、第１の誘導部６２の一端６２ｅよりも表示部１７ａから離れた位置に配置される一方、第２の誘導部６３の他端６３ｂは、第１の誘導部６２の他端６２ｇよりも表示部１７ａに近づく位置若しく第１の誘導部６２の他端６２ｇと表示部１７ａに対して同じ距離となるような位置に配置されており、第１の摺動部６５および第２の摺動部６６が第１の誘導部６２の一端６２ｅおよび第２の誘導部６３の一端６３ａに位置する場合を可動体６４の第１の位置Ｐ１、第１の摺動部６５および第２の摺動部６６が第１の誘導部６２の他端６２ｇおよび第２の誘導部６３の他端６３ｂに位置する場合を可動体６４の第２の位置Ｐ２となるように構成されている。
【００８１】
つまり、ベース部材６１に設けられ、誘導形状が異なる谷状部６２ａと山状部６２ｂを有した湾曲形状の第１の誘導部６２と直線状の第２の誘導部６３に沿って、第１の誘導部６２に係合する第１の摺動部６５と第２の誘導部６２に係合する第２の摺動部６６が設けられた可動体６４を、第１の位置Ｐ１から第２の位置Ｐ２へと移動させることで、可動体６４に固定された装飾部材８０は、ベース部材６１上の第１の位置Ｐ１と第２の位置Ｐ１の間を移動する際に、その先端側の方向（姿勢）を変えつつ表示部１７ａの前面側での出没量（移動量）に強弱が付けられるようにされており、従来にない軌跡（移動経路）を描きながら装飾部材８０を移動させることが可能になっている。従って、その演出効果を従来よりも向上させることが可能になっている。
【００８２】
この場合、装飾部材８０は、装飾本体８１と、装飾本体８１と可動体６４との間に回動可能に軸支された副装飾体８２とにより構成され、副装飾体８２は、付勢部材６８と、付勢部材６８と副装飾体８２とを連結する連結部材６７によって装飾本体８１側に付勢され、ベース部材６１には、可動体６４が第１の位置Ｐ１から第２の位置Ｐ２へ移動するのに伴って連結部材６７に接触する接触部６１ｃが形成され、可動体６４が第１の位置Ｐ１から第２の位置Ｐ２へ移動する際に、連結部材６７が接触部６１ｃに接触することによって付勢部材６８が付勢に抗して変位すると共に副装飾体８２が回動するようにしたこと構成になっているので、一の駆動手段７４を用いるだけで、可動体６４（装飾部材８０）を第１の位置Ｐ１と第２に位置Ｐ２の間で移動させることが可能であると共に、副装飾体８２も回動させることが可能となっており、副装飾体８２を回動させるため専用の駆動手段を別途用意する必要がない。したがって、これらの部材を移動または回動させるための機構が複雑化してしまうことが抑制されると共に、遊技機１という限られた空間にこのような可動演出装置５０をコンパクトに配置することが可能となっている。
【００８３】
また、ベース部材６１を覆うカバー体４０ｂを備えると共に、可動体６４が第１の位置Ｐ１に位置する場合には、装飾部材８０がカバー体４０ｂによって隠蔽され、可動体６４が第１の位置Ｐ１から第２の位置Ｐ２に移動するのに伴って、装飾部材８０がカバー体４０ｂから露出されるようにした構成になっているので、装飾部材８０の移動（出没）をより目立たせることが可能となり、その演出効果をより際立たせることができる。
【００８４】
更に、可動演出装置５０は、表示部１７ａの所定方向両側に対になって設けられると共に、該一対の可動演出装置５０，５０のそれぞれに設けられた各装飾部材８０，８０は、それぞれ第１の位置Ｐ１から第２の位置Ｐ２に移動するのに伴って、互いに接近するように配置されている構成になっているので、例えば２つの可動演出装置５０，５０の各装飾部材８０，８０を遊技機１の所定方向両側から接近させ、その接近させた状態でそれぞれの副装飾体８２，８２を回動させる等の種々なる態様で遊技を演出することが可能であり、更に可動演出装置５０による演出効果を向上させることができる。
【００８５】
以上本発明に係る遊技機の実施の形態について説明したが、上述した実施の形態に何ら限定されるものではなく、本発明の趣旨を逸脱しない範囲で種々の改変が可能である。例えば、上述した可動演出装置５０は、表示部１７ａの下方に配設された構成を示したが、そのような構成に限るものではなく、遊技機１の枠等の配設可能な位置であれば、どこでも良く、上述した実施の形態には限定されない。また、可動演出装置５０の装飾部材８０の移動方向は左右方向に限るものではなく、例えば、上下方向、前後方向などに移動させるようにしても良い。また、接触用凸部６１ｃを第２の位置Ｐ２側の一箇所に設けた構成について説明したが、第１の位置Ｐ１から接触用凸部６１に接触する前の途中の段階でも連結部材６７に一時的に接触可能な接触用凸部を設けて、第１の位置Ｐ１から第２の位置Ｐ１に装飾部材８０が移動する間に一旦龍の口を開閉させてから最終的に龍の口を開閉させる構成にしても良く、上述した実施の形態には限定されない。
【符号の説明】
【００８６】
１：遊技機    ５：遊技盤    ６：遊技領域    １７：表示装置
１７ａ：表示部    ３０：センター役物    ４０：前面側装飾部材
４０ｂ：カバー体    ４１：センターベース    ４１ａ：開口部
５０：可動演出装置    ６１：ベース部材    ６１ｃ：接触用凸部
６２：第１の誘導部    ６２ａ：谷状部    ６２ｂ：山状部
６２ｃ：最下点    ６２ｄ：頂点    ６２ｅ：左端（一端）
６２ｆ：第１の下傾部    ６２ｇ：右端（他端）    ６２ｈ：第２の下傾部
６２ｉ：上傾部    ６３：第２の誘導部    ６３ａ：左端（一端）
６３ｂ：右端（他端）    ６４：可動体    ６４ｇ：バネ係止片
６５：第１の摺動部    ６６：第２の摺動部    ６７：連結部材
６７ｄ：バネ係止片    ６７ｆ：伝達部    ６７ｇ：被接触部
６８：付勢バネ    ７１：連結アーム    ７２：揺動アーム
７２ｂ：回動アーム部    ７２ｇ：回動溝部    ７３：回動部材
７３ａ：軸固定部    ７３ｃ：伝達部    ７３ｄ：位置検出用突起部
７４：モータ    ７４ａ：駆動軸    ７６：センサ基板
７７：初期位置検出スイッチ    ８０：龍装飾部材    ８１：装飾本体
８２：副装飾体    ８２ｄ：回動溝部    ８３：ＬＥＤ基板
８４：ＬＥＤ
【図１】
2011239870.tif 000003
【図２】
2011239870.tif 000004
【図３】
2011239870.tif 000005
【図４】
2011239870.tif 000006
【図５】
2011239870.tif 000007
【図６】
2011239870.tif 000008
【図７】
2011239870.tif 000009
【図８】
2011239870.tif 000010
【図９】
2011239870.tif 000011
【図１０】
2011239870.tif 000012